(57)【特許請求の範囲】
【請求項１】
ベースと、
前記ベースに保持されたポールと、を備え、
前記ポールは、その内部に表示物を取り出し可能に収納することができる透明な筒状ポール本体部を有し、
前記筒状ポール本体部に配置される発光部と、前記発光部と接続し当該発光部の発光を制御する制御部と、を有した発光ユニットを、さらに備え、
前記ポールは、前記筒状ポール本体部に上方から接続した上方筒状部を、さらに有し、
前記上方筒状部が、前記発光ユニットの前記制御部を支持し、前記発光部は、前記制御部から垂下して前記筒状ポール本体部内に位置する、ベルトパーティションスタンド。
【請求項２】
前記ポールの上端に、前記筒状ポール本体部の内部に通じる上方開口が形成されており、
前記上方開口を介して、前記表示物及び前記発光ユニットを前記ポール内に配置可能、且つ、前記表示物及び前記発光ユニットを前記ポール内から取り出し可能である、請求項１に記載のベルトパーティションスタンド。
【請求項３】
前記発光部は、前記ポールの中心軸線上を延びている、請求項１又は２に記載のベルトパーティションスタンド。
【請求項４】
請求項１〜３のいずれか一項に記載されたベルトパーティションスタンドと、
ケースと、前記ケースから繰り出し可能に当該ケース内に巻き取られる仕切り用ベルトと、を有し、前記ベルトパーティションスタンドに支持されるベルトパーティション本体と、を備える、ベルトパーティション装置。
【請求項５】
前記仕切り用ベルトの前記ケース内における巻取軸線は、前記ポールの中心軸線から、当該中心軸線に直交する方向にずれて位置している、請求項４に記載のベルトパーティション装置。
【請求項６】
前記ベルトパーティション本体は、前記ベルトパーティションスタンドに取り外し可能に支持される、請求項４又は５に記載のベルトパーティション装置。
【請求項７】
前記仕切り用ベルトに取り外し可能に取り付けられる表示パネルを、さらに備える、請求項４〜６のいずれか一項に記載のベルトパーティション装置。
【発明の詳細な説明】
【技術分野】
【０００１】
本発明は、仕切り用ベルトを架設して区画を行うベルトパーティション装置、及び、ベルトパーティション装置に用いられるベルトパーティションスタンドに関する。
【背景技術】
【０００２】
例えば特許文献１に開示されているように、仕切り用ベルトを用いて空間を区画するベルトパーティション装置が、広く普及している。特許文献１に開示されたベルトパーティション装置は、ベース及びベースから起立したポールを含むスタンドと、スタンドの頭部に固定されたベルトパーティション本体と、を有している。ベルトパーティション本体は、ケースと、ケースから繰り出し可能に当該ケースに収容された仕切り用ベルトと、を有している。特許文献１に開示されたベルトパーティション装置では、仕切り用ベルトに印刷を施して、仕切り用ベルトによって表示を行っている。
【先行技術文献】
【特許文献】
【０００３】
【特許文献１】特開２０１５−１１０８７６号公報
【発明の概要】
【発明が解決しようとする課題】
【０００４】
しかしながら、仕切り用ベルトに表示を施したとして、風等によって仕切り用ベルトが揺れ、またそもそも自重によって仕切り用ベルトが撓むことから、注意深く観察しなければ表示を読み取ることができないこともある。また、特許文献１に開示されたベルトパーティション装置では、そもそも、仕切り用ベルトを収容したベルトパーティション本体が、スタンドに固定されている。したがって、ベルトパーティション装置が使用される環境等に依らず、仕切り用ベルトが一定の表示を行うことになる。
【０００５】
なお、スタンドの上端に表示パネルを設けることで、ベルトパーティション装置に表示機能を付与することも考えられる。しかしながら、スタンドの上端に設けられた表示パネルは、通行の妨げとなる可能性もある。すなわち、ベルトパーティション装置が本来的に有している通行を誘導するといった機能が、表示パネルによって阻害されかねない。
【０００６】
本発明は、以上の点を考慮してなされたものであり、使用される環境に適した表示を行って、当該環境に適した雰囲気を創出することができるベルトパーティションスタンド及びベルトパーティション装置を提供することを目的とする。
【課題を解決するための手段】
【０００７】
本発明によるベルトパーティションスタンドは、
ベースと、
前記ベースに保持されたポールと、を備え、
前記ポールは、その内部に表示物を取り出し可能に収納することができる透明な筒状ポール本体部を有する。
【０００８】
本発明によるベルトパーティションスタンドが、前記筒状ポール本体部に配置される発光部を有した発光ユニットを、さらに備えるようにしてもよい。
【０００９】
本発明によるベルトパーティションスタンドにおいて、
前記発光ユニットは、前記発光部と接続し当該発光部の発光を制御する制御部を、さらに有し、
前記ポールは、前記筒状ポール本体部に上方から接続した上方筒状部を、さらに有し、
前記上方筒状部が、前記発光ユニットの前記制御部を支持し、前記発光部は、前記制御部から垂下して前記筒状ポール本体部内に位置していてもよい。
【００１０】
本発明によるベルトパーティションスタンドにおいて、
前記ポールの上端に、前記筒状ポール本体部の内部に通じる上方開口が形成されており、
前記上方開口を介して、前記表示物及び前記発光ユニットを前記ポール内に配置可能、且つ、前記表示物及び前記発光ユニットを前記ポール内から取り出し可能であるようにしてもよい。
【００１１】
本発明によるベルトパーティションスタンドにおいて、前記発光部は、前記ポールの中心軸線上を延びていてもよい。
【００１２】
本発明による第１のベルトパーティション装置は、
上述した本発明によるベルトパーティションスタンドのいずれかと、
ケースと、前記ケースから繰り出し可能に当該ケース内に巻き取られる仕切り用ベルトと、を有し、前記ベルトパーティションスタンドに支持されるベルトパーティション本体と、を備える。
【００１３】
本発明による第１のベルトパーティション装置において、前記仕切り用ベルトの前記ケース内における巻取軸線は、前記ポールの中心軸線から、当該中心軸線に直交する方向にずれて位置していてもよい。
【００１４】
本発明による第１のベルトパーティション装置において、前記ベルトパーティション本体は、前記ベルトパーティションスタンドに取り外し可能に支持されるようにしてもよい。
【００１５】
本発明による第２のベルトパーティション装置は、
ケースと、前記ケースから繰り出し可能に当該ケースに収容された仕切り用ベルトと、を有するベルトパーティション本体と、
前記ベルトパーティション本体を取り外し可能に支持するベルトパーティションスタンドと、を備える。
【００１６】
本発明による第２のベルトパーティション装置が、
ケースと、前記ケースから繰り出し可能に当該ケースに収容された第２仕切り用ベルトと、を有する第２ベルトパーティション本体をさらに、備え、
前記第２ベルトパーティション本体の前記第２仕切り用ベルトは、前記ベルトパーティション本体の前記仕切り用ベルトとは異なる外観を有するようにしてもよい。
【００１７】
本発明による第２のベルトパーティション装置において、
前記ベルトパーティションスタンドは、ベースと、前記ベースに保持されたポールと、を有し、
前記ポールは、その内部に表示物を取り出し可能に収納することができる透明な筒状ポール本体部を有するようにしてもよい。
【００１８】
本発明による第１又は第２のベルトパーティション装置が、前記仕切り用ベルトに取り外し可能に取り付けられる表示パネルを、さらに備えるようにしてもよい。
【発明の効果】
【００１９】
本発明によれば、ベルトパーティション装置が使用される環境に適した表示を行って、当該環境に適した雰囲気を創出することができる。
【図面の簡単な説明】
【００２０】
【図１】図１は、ベルトパーティション本体及びベルトパーティションスタンドを有するベルトパーティション装置を示す縦断面図である。
【図２】図２は、ベルトパーティションスタンドを示す斜視図である。
【図３】図３は、表示物とともにベルトパーティションスタンドを示す分解斜視図である。
【図４】図４は、ベルトパーティション本体の仕切り用ベルトに施された表示の例を示す図である。
【図５】図５は、ベルトパーティションスタンドのベース及びポールの着脱方法を示す斜視図である。
【図６】図６は、ベルトパーティションスタンドのベース及びポールの着脱方法を示す斜視図である。
【図７】図７は、ベルトパーティションスタンドのベース及びポールの着脱方法を示す斜視図である。
【図８】図８は、ポールに形成された溝を拡大して示す平面図である。
【図９】図９は、ベルトパーティション本体の一変形例を示す斜視図である。
【発明を実施するための形態】
【００２１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２２】
図１は、ベルトパーティション装置１０を模式的に示す縦断面図である。図１に示すように、ベルトパーティション装置１０は、ベルトパーティション本体２０及びベルトパーティションスタンド４０を有している。ベルトパーティション本体２０は、ケース２５と、ケース２５から繰り出し可能な仕切り用ベルト２１と、を有している。また、図２及び図３は、それぞれ、ベルトパーティションスタンド４０を示す斜視図または分解斜視図である。図２及び図３に示すように、ベルトパーティションスタンド４０は、ベース５０、ポール６０、発光ユニット８０、及び、蓋部材９０を有している。
【００２３】
ベルトパーティションスタンド４０は、ベルトパーティション本体２０を支持している。また、ベルトパーティションスタンド４０は、他のベルトパーティション本体２０から繰り出された仕切り用ベルト２１の端部を支持することができる。この結果、一つのベルトパーティションスタンド４０と、他のベルトパーティション本体２０を支持する他のベルトパーティションスタンド４０との間に、仕切り用ベルト２１が架設される。ベルトパーティション装置１０は、架設された仕切り用ベルト２１によって空間を区画し、通行を誘導することや立ち入りを規制することができる。ベルトパーティション装置１０は、例えば、会議場、百貨店、競技場、金融機関、官庁等において、利用される。
【００２４】
ここで説明するベルトパーティション装置１０及びベルトパーティションスタンド４０には、後述するように、ポール６０を簡易な操作でベース５０から取り外すことができ、その一方で、ポール６０をベース５０に対して安定して固定することを可能する工夫がなされている。これにより、使用時に、ポール６０がベース５０から意図せず抜けてしまうことを効果的に防止することができ、輸送時等の取り扱い性に優れ且つ収納時等における保管スペースの省スペース化を図ることができる。
【００２５】
さらに、ここで説明するベルトパーティション装置１０及びベルトパーティションスタンド４０には、後述するように、使用される環境に適した表示を行うことを可能にする工夫がなされている。これにより、使用される環境に適した雰囲気を創出することもできる。例えば、イベントへの期待感を高め、イベントへの参加者を高揚させることができる。また、誘導経路を示す表示が施された表示物を使用することで、混雑のストレスを緩和させることができる。
【００２６】
以下、各構成要素について、順に説明していく。
【００２７】
まず、ベルトパーティション本体２０について説明する。前述のように、ベルトパーティション本体２０は、ケース２５と、ケース２５から繰り出し可能な仕切り用ベルト２１と、を有している。図２に示すように、仕切り用ベルト２１の先端部には、端部ピン部材２２が固定されている。端部ピン部材２２は、軸状のピン本体部２２ａと、ピン本体部２２ａよりも拡径したピン頭部２２ｂと、を有している。このピン頭部２２ａは、ポール６０に形成された支持溝７７と係合する。図２に示すように、支持溝７７は、筒状の部位にその長手方向に延びるスリット７７ａを形成した形状を有している。スリット７７ａの幅は、端部ピン部材２２のピン本体部２２ａの幅よりも狭く、仕切り用ベルト２１の厚みよりも大きい。また、支持溝７７の内径は、ピン本体部２２ａの直径よりも太く且つピン頭部２２ｂの直径よりも細い。したがって、端部ピン部材２２と固定された仕切り用ベルト２１がスリット７７ａを通過するようにして、ピン本体部２２ａを支持溝７７に挿入することで、支持溝７７内に端部ピン部材２２を保持することができる。このとき、ピン頭部２２ｂが、支持溝７７内に没入することはなく、ピン本体部２２ａが、スリット７７ａを介して支持溝７７から抜け出ることはない。すなわち、端部ピン部材２２を介して、仕切り用ベルト２１の先端をベルトパーティションスタンド４０に固定することができる。
【００２８】
図１に示すように、ベルトパーティション本体２０は、取付ピン部材２３と、取付ピン部材２３とケース２５とを接続する接続板部２４と、をさらに有している。取付ピン部材２３は、端部ピン部材２２と同様の構成を有している。接続板部２４は、支持溝７７のスリット７７ａを通過し得る厚みを有している。したがって、接続板部２４がスリット７７ａを通過するようにして、取付ピン部材２３のピン本体部２３ａを支持溝７７に挿入することで、支持溝７７内に取付ピン部材２３を保持することができる。このとき、取付ピン部材２３のピン頭部２３ｂは、支持溝７７内に没入することはなく、ピン本体部２３ａが、スリット７７ａを介して支持溝７７から抜け出ることもない。すなわち、取付ピン部材２３を介して、ベルトパーティション本体２０をベルトパーティションスタンド４０に固定することができる。
【００２９】
また、図１に示すように、ベルトパーティション本体２０は、ケース２５内に、巻取軸部材２６及び巻取付勢部材２７を有している。仕切り用ベルト２１は、その長手方向における一端を端部ピン部材２２に固定され、他端を巻取軸部材２６に固定されている。なお、ケース２５には、仕切り用ベルト２１が通過するための開口２５ａが形成されている。巻取軸部材２６は、ケース２５内に回転可能に支持されている。巻取軸部材２６が、ケース２５内で回転することで、仕切り用ベルト２１がケース２５内に引き込まれ且つ巻取軸部材２６に巻き取られる。巻取付勢部材２７は、巻取軸部材２６が仕切り用ベルト２１を巻き取るように、巻取軸部材２６を付勢する。巻取付勢部材２７は、例えばトーションバネから構成される。この結果、ベルトパーティション本体２０の仕切り用ベルト２１が、端部ピン部材２２を介して支持溝７７に保持された場合、仕切り用ベルト２１は、ケース２５と当該支持溝７７との間に、張設されることになる。
【００３０】
ところで、仕切り用ベルト２１は、ナイロン製やポリエステル製の布を帯状とすることで形成され得る。この仕切り用ベルト２１には、種々の表示ｄが施され得る。図４は、仕切り用ベルト２１に施される表示ｄの一例を示している。仕切り用ベルト２１に施される表示ｄは、当該仕切り用ベルト２１が使用される環境に相応しい外観を有していることが好ましい。図４（ａ）に示された仕切り用ベルト２１は、通行の誘導に好適である。図４（ｂ）に示された仕切り用ベルト２１は、セール会場への誘導やセール会場の区画に好適である。図４（ｃ）に示された仕切り用ベルト２１は、イベント会場、競技場、遊園地等の施設の入り口での使用に好適である。
【００３１】
とりわけ図示されたベルトパーティション本体２０は、ベルトパーティションスタンド４０に着脱可能であることから、異なる表示ｄを施された仕切り用ベルト２１を含む複数のベルトパーティション本体２０を用意しておき、すなわち、第１のベルトパーティション本体２０だけでなく、第２や第３のベルトパーティション本体２０を用意しておき、都度、ベルトパーティション本体２０が使用される環境に応じて、複数のベルトパーティション本体２０の中から一つを適宜選択して使用することが好ましい。
【００３２】
次に、ベルトパーティションスタンド４０について説明する。前述したように、また図２及び図３に示すように、ベルトパーティションスタンド４０は、ベース５０、ポール６０、発光ユニット８０、及び、蓋部材９０を有している。このうち、ベース５０は、ポール６０を起立した状態に保持するための部材である。ベース５０は、ベルトパーティションスタンド４０の転倒を防止するため、平べったい外形状を有している。図５〜図７に示すように、ベース５０は、上方に開口した収容部５１を有している。収容部５１は、円筒状の壁部５２によって形成されている。
【００３３】
図５によく示されているように、ベース５０は、収容部５１内に、係合軸部材５３、付勢部材５６及び底板部材５７をさらに有している。係合軸部材５３は、収容部５１の対向する壁面５１ａの間を横断するようにして延びている。そして、係合軸部材５３の下方に、底板部材５７及び付勢部材５６がこの順番で設けられている。付勢部材５６は、収容部５１の底面５１ｂ上に配置されている。付勢部材５６は、底面５１ｂ上に支持されて底板部材５７を上方に付勢している。図示された例において、付勢部材５６は、圧縮バネから構成されている。底板部材５７は、係合軸部材５３によって上方への移動範囲を規制されている。図示された例において、底板部材５７は、円環状の板材によって形成されている。係合軸部材５３、付勢部材５６及び底板部材５７は、対応するポール６０の構成との組和合わせにより、ベース５０及び６０の着脱を簡易な操作で実現することと、ポール６０をベース５０に安定して保持することと、の両者を達成する。とりわけ、係合軸部材５３は、後述するポール６０に設け設けられた溝４１と係合する係合部４３を構成する。
【００３４】
次に、ポール６０について説明する。図示された例において、ポール６０は、長手方向を有した細長い部材となっている。ポール６０は、ベース５０の収容部５１に下方端部を挿入されることで、ベース５０によって起立した状態に保持される。図示された例において、ポール６０は、筒状ポール本体部７０と、筒状ポール本体部７０に下方から接続した下方筒状部６５と、筒状ポール本体部７０に上方から接続した上方筒状部７５と、を有している。ポール６０は、全体としてみて、円筒状となっている。なお、ポール６０の中心軸線ｃａと平行な方向を、ポール６０の軸線方向ａｄと呼ぶ。
【００３５】
筒状ポール本体部７０は、例えば樹脂によって形成された透明な円筒状の部材とすることができる。ここで「透明」とは、筒状ポール本体部７０が、肉眼で外部から筒状ポール本体部７０の内部を観察し得る程度の可視光透過性を有することを意味している。後述するように、ポール６０内に収容される表示物ｄａを十分に観察し得るようにする観点から、筒状ポール本体部７０は、５０％以上の可視光透過率を有していることが好ましく、７０％以上の可視光透過率を有していることがさらに好ましい。可視光透過率は、分光光度計（（株）島津製作所製「ＵＶ−３１００ＰＣ」、ＪＩＳＫ０１１５準拠品）を用いて測定波長３８０ｎｍ〜７８０ｎｍの範囲内で測定したときの、各波長における透過率の平均値として特定することができる。
【００３６】
図１に示すように、上方筒状部７５は、例えば樹脂によって形成された円筒状の部材とすることができる。図示された例において、上方筒状部７５に、支持溝７７が形成されている。すなわち、上方筒状部７５において、ベルトパーティション本体２０及び仕切り用ベルト２１を取り外し可能に保持することができる。また、上方筒状部７５の内部には、保持板部７６が形成されている。保持板部７６は、上方筒状部７５をなす筒状内壁面から内方に向けて突出した部位である。保持板部７６は、発光ユニット８０の支持に用いられる。なお、上方筒状部７５は、保持板部７６で支持する発光ユニット８０の制御部８５を不可視化する観点から、不透明としてもよい。この場合、制御部８５を隠蔽して、ベルトパーティション装置１０及びベルトパーティションスタンド４０の意匠性を向上させることができる。
【００３７】
図５に示すように、下方筒状部６５は、概ね円筒状となっている。図６及び図７に示すように、ポール６０がベース５０に保持された状態において、下方筒状部６５は、ベース５０の収容部５１内に位置する。したがって、外観上の観点からは、下方筒状部６５は、透明でも不透明でもよい。ただし、後述するように、ポール６０とベース５０との着脱操作を容易化する観点からは、係合部分を観察し得るよう透明であることが好ましい。下方筒状部６５の対向する壁部６６に、一対の切欠６７が形成されている。一対の切欠６７は、細長状に延びる溝をなしている。一対の切欠６７の配置および形状は、ポール６０の中心軸線ｃａを中心として回転対称となっている。
【００３８】
切欠６７は、ベース５０の収容部５１内に設けられた係合軸部材５３からなる係合部４３と係合する溝４１を構成する。図８は、円筒状をなす下方筒状部６５の壁部６６を平面状にして展開した状態にて、切欠６７からなる溝４１を示している。図８に示すように、収容部５１は、ポール６０の軸線方向ａｄに延びる第１部分４２ａと、第１部分４２ａと接続し且つ軸線方向ａｄを中心とした周方向ｃｄに延びる第２部分４２ｂと、第２部分４２ｂと接続し且つ軸線方向ａｄに延びる第３部分４２ｃと、を有している。とりわけ図示された例において、第１部分４２ａ及び第３部分４２ｃは、それぞれ、軸線方向ａｄと平行に延びている。第２部分４２ｂは、周方向ｃｄと平行に延びている。切欠６７からなる溝４１の幅は、係合軸部材５３からなる係合部４３の直径よりも大きい。したがって、図６及び図７に示すように、係合部４３が、溝４１の長手方向に沿って溝４１内を進むことができる。溝４１のさらなる詳細な構成については、ベース５０及びポール６０の着脱方法とともに後述する。
【００３９】
発光ユニット８０は、発光部８１と、発光部８１と接続した制御部８５と、を有している。制御部８５は、電源８６と、電源８６から発光部８１への電力供給を切り替えるスイッチ８７と、を有している。発光部８１は、少なくともその一部が、筒状ポール本体部７０内に位置する。したがって、発光部８１で発光された光は、可視光透過性を有した筒状ポール本体部７０を透過する。ポール６０の内部に配置された発光ユニット８０の発光部８１を発光させることにより、ベルトパーティションスタンド４０が、ベルトパーティション装置１０の一部として機能しながら、照明スタンドとしても機能する。さらに、ベルトパーティションスタンド４０の意匠性を向上させることもできる。
【００４０】
図１に示すように、図示された例において、制御部８５は、保持板部７６上に載置されることで、上方筒状部７５に保持される。発光部８１は、制御部８５から垂下している。発光部８１の大部分が、筒状ポール本体部７０内に位置している。図示された例において、発光部８１は、制御部８５から垂下する帯状の支持材８２と、支持材８２上の配列された多数の点状発光体（例えば、発光ダイオード）８３と、発光体８３を制御部８５に電気的に接続する配線８４と、を有している。図示された例において、細長状の発光部８１が、ポール６０の中心軸線ｃａ上を延びている。また、細長状の発光部８１は、ベルトパーティションスタンド４０の側方からの観察において、筒状ポール本体部７０の全長に亘って、言い換えると、支持溝７７を支持する上方筒状部７５の下端からベース５０の収容部５１に上端までの軸線方向ａｄに沿った範囲に亘って、延在している。
【００４１】
図３に示すように、ポール６０の上端には、上方開口６１が形成されている。この上方開口６１を通じて、発光ユニット８０をポール６０内に出し入れすることができる。図１に示すように、図示された例において、仕切り用ベルト２１のケース２５内における巻取軸線ｒａは、ポール６０の中心軸線ｃａから、当該中心軸線ｃａに直交する方向にずれて位置している。とりわけ図示された例では、ベルトパーティション本体２０が、全体として、ポール６０の側方に位置している。したがって、上方開口６１が、ベルトパーティション本体２０によって塞がれることはない。これにより、上方開口６１を介したポール６０内への発光ユニット８０の出し入れを容易に行うことができる。
【００４２】
ところで、図２及び図３に示すように、ベルトパーティション装置１０は、ポール６０内に取り出し可能に収納され得る表示物ｄａを、さらに有している。図３に示すように、表示物ｄａは、ポール６０の上方開口６１を介して、ポール６０内に出し入れされる。図示された例では、発光ユニット８０を取り外した状態で、表示物ｄａのポール６０内への出し入れが実施される。図３に示すように、表示物ｄａとして、紙、布、樹脂等からなるシートに表示を施してなるシート状の表示物を用いることができる。そして、シート状の表示物ｄａを丸めてポール６０内に配置することにより、筒状ポール本体部７０の全外周面を表示領域として利用することができる。また、発光ユニット８０との組み合わせにおいては、表示物ｄａが光透過性であることが好ましい。この場合、高い意匠性を発揮しながら且つ明るく表示物ｄａを表示することができる。
【００４３】
なお、前述した表示ｄを施された仕切り用ベルト２１を含むベルトパーティション本体２０と同様に、表示物ｄａは、ベルトパーティションスタンド４０が使用される環境に相応しい表示を有していることが好ましい。とりわけ図示されて例において、表示物ｄａは、取り出し可能にポール６０内へ収納されることから、異なる表示物ｄａを多数用意しておき、すなわち、第１の表示物ｄａだけでなく、第２や第３の表示物ｄａを用意しておき、ベルトパーティションスタンド４０が使用される環境に応じて、ベルトパーティションスタンド４０を適宜選択して使用することが好ましい。
【００４４】
図１に示すように、ベルトパーティションスタンド４０は、ポール６０の上方開口６１を塞ぐ蓋部材９０を、さらに有している。蓋部材９０は、取り外し可能にポール６０に装着される。表示物ｄａ及び発光ユニット８０のポール６０内への出し入れは、蓋部材９０をポール６０から外して上方開口６１を開放した後に実施される。また、図示された例では、蓋部材９０を取り外した状態で、発光ユニット８０のスイッチ８７を操作することになる。ただし、この例に限られず、スイッチ８７が、蓋部材９０や上方筒状部７５を貫通して、ポール６０の外部に露出し、蓋部材９０を取り外すことなく操作され得るようにしてもよい。
【００４５】
以上のような構成からなるベルトパーティション装置１０を使用する場合、ベルトパーティション装置１０が使用される環境に適した外観を有する表示物ｄａを選択して使用することで、ベルトパーティション装置１０が使用される環境に適した雰囲気を効果的に創出することができる。とりわけ、発光ユニット８０で表示物ｄａを照らすことにより、ベルトパーティション装置１０が使用される環境に適した雰囲気作りをより効果的に行うことができる。なお、表示物ｄａの交換や、発光ユニット８０のポール６０内への出し入れは、ポール６０の上端から蓋部材９０を外した後に、ポール６０の上方開口６１を介して容易に行うことができる。
【００４６】
また、ベルトパーティション装置１０が使用される環境に適した外観を有する表示物ｄａを選択して使用することでも、ベルトパーティション装置１０が使用される環境に適した雰囲気を創出することができる。ベルトパーティション本体２０が、ベルトパーティションスタンド４０から取り外し可能に保持されている場合には、互いに異なる外観の仕切り用ベルト２１を含んだ複数のベルトパーティション本体２０の中から、ベルトパーティション装置１０が使用される環境に適した仕切り用ベルト２１を含むベルトパーティション本体２０を選択することにより、ベルトパーティション装置１０が使用される環境に適した雰囲気を効果的に創出することができる。
【００４７】
さらに、図９に示すように、ベルトパーティション装置１０が、仕切り用ベルト２１に取り外し可能に取り付けられる表示パネル９５を、さらに有するようにしてもよい。図９に示すように、表示パネル９５の高さｈが、仕切り用ベルト２１の幅ｗよりも大きい場合には、表示パネル９５を用いることで、アイキャッチ効果の高い表示を行うことができる。また、表示パネル９５の高さｈが仕切り用ベルト２１の幅以下であったとしても、立体的な表示等、種々の意匠効果を取り入れることで、やはり、アイキャッチ効果の高い表示を行うことが可能となる。さらに、互いに異なる外観を有した複数の表示パネル９５を用意しておき、ベルトパーティション装置１０が使用される環境に適した表示パネル９５を選択することにより、ベルトパーティション装置１０が使用される環境に適した雰囲気を創出することができる。なお、表示パネル９５の仕切り用ベルト２１への取り付けは、表示パネル９５に設けたフック９６等を用いて当該表示パネル９５を仕切り用ベルト２１に掛けることによって、実現され得る。
【００４８】
ところで、以上のような構成からなるベルトパーティション装置１０のベルトパーティションスタンド４０では、ポール６０がベース５０に対して着脱可能となっている。したがって、輸送時や保管時等の不使用時には、ポール６０をベース５０から取り外すことで、ベルトパーティションスタンド４０を小型化することができる。これにより、不使用時におけるベルトパーティションスタンド４０及びベルトパーティション本体２０の取り扱い性を顕著に改善することができる。
【００４９】
ここで、ベース５０及びポール６０の着脱方法について、溝４１の詳細な構成とともに、説明する。以下に説明するように、簡易な操作により、ポール６０をベース５０から取り外すことができ、その一方で、ポール６０をベース５０に対して安定して固定することもできる。
【００５０】
図５〜図７から理解されるように、図８に示された溝４１の第１部分４２ａの端部は、ポール６０の下方端部をベース５０の収容部５１に挿入する際に係合部４３との係合を開始する開始端部４１ａを形成する。ここで、ベース５０は、収容部５１に収容されたポール６０を、ポール６０の軸線方向ａｄに沿ってベース５０から離間する向きに付勢する付勢部材５６を有している。付勢部材５６は、底板部材５７を介してポール６０を付勢する。したがって、付勢部材５６からの付勢力に抗して、ポール６０をベース５０に向けて軸線方向ａｄに押し込むことにより、係合部４３が、溝４１の開始端部４１ａから第１部分４２ａ内を進み、第２部分４２ｂに到達する。なお、作業者は、ポール６０を操作する感触により、係合部４３が溝４１の第２部分４２ｂに到達したことを知覚する。
【００５１】
次に、ポール６０の軸線方向ａｄを中心としてポール６０をベース５０に対して回動させる。このとき、係合部４３が、溝４１の第２部分４２ｂ内を第１部分４２ａの側から第３部分４２ｃの側へと進む。係合部４３が溝４１の第３部分４２ｃに到達したところで、係合部４３と溝４１との係合により、ポール６０のベース５０に対する回動が規制される。このとき、作業者は、ポール６０を操作する感触により、係合部４３が溝４１の第３部分４２ｃに到達したことを知覚する。なお、ポール６０の軸線方向ａｄを中心としたベース５０に対する回動は、螺合する場合のように何回転も行う必要はない。図示された例では、一本の係合軸部材５３からなる係合部４３に対して、一対の溝４１が係合することにともない、ポール６０の軸線方向ａｄを中心としてベース５０に対してポール６０が回動する角度は、１８０°未満となる。とりわけ図示された例において、ポール６０の軸線方向ａｄを中心としてベース５０に対してポール６０が回動する角度は、９０°未満となっている。螺合と比較して、ベース５０に対するポール６０の回動量が大幅に低減されることから、ポール６０のベース５０への取り付けを極めて容易に進めることができる。
【００５２】
付勢部材５６は、底板部材５７を介してポール６０を軸線方向ａｄに沿ってベース５０から離間する向きに付勢している。したがって、係合部４３が溝４１の第１部分４２ａ内に位置する場合、付勢部材５６からの付勢力によって、ポール６０は、軸線方向ａに沿ってベース５０から離間する向きに移動する。このとき、係合部４３が、溝４１の第３部分４２ｃ内を第２部分４２ｂの側から閉鎖端まで進む。すなわち、第３部分４２ｃの第２部分４２ｂとは反対側の端部は、ポール６０の下方端部をベース５０の収容部５１に挿入し且つ当該ポール６０の軸線方向ａｄを中心してベース５０に対して１８０°未満の角度だけポール６０を回動させた後に、係合部４３と係合するようになる係止部４１ｃをなす。付勢部材５６の付勢力により、係合部４３が溝４１の係止部４１ｃに当接する位置にて、ポール６０をベース５０によって安定して保持することができる。
【００５３】
以上のようにして、ベース５０にポール６０を取り付けることができる。ベース５０からポール６０を取り外すには、ベース５０をポール６０に取り付ける際の手順と逆の手順を踏めばよい。すなわち、まず付勢部材５６の付勢力に抗して、ポール６０をベース５０に対して軸線方向ａｄに押し込む。次に、ポール６０をベース５０に対して回動させる。その後、ポール６０をベース５０から引き上げることで、ポール６０をベース５０から容易に取り外すことができる。
【００５４】
図８に示された溝４１において、係止部４１ｃは、ポール６０の軸線方向ａｄにおいて開始端部４１ａと中間部４１ｂとの間に位置している。図８に示された例においては、第２部分４２ｂ上の各位置が、中間部４１ｂとなり得る。このような溝４１及び係合部４３の組み合わせによれば、ベース５０に保持されたポール６０を当該ベース５０から取り外すには、付勢部材５６の付勢力に抗して、ポール６０をベース５０に対して軸線方向ａｄに移動させ、さらにポール６０をベース５０に対して回転させる必要がある。したがって、ベース５０に保持されたポール６０が意図せずベース５０から外れてしまうことを効果的に回避することができる。
【００５５】
なお、図示された例において、ベース５０に係合部４３が形成され、ポール６０に係合部４３と係合する溝４１が形成されている例を示したが、この例に限られない。ベース５０に溝４１が形成され、ポール６０に係合部４３が形成されていてもよい。このような変形例においても、ポール６０を簡易な操作でベース５０から取り外すことができ、その一方で、ポール６０をベース５０に対して安定して固定することができる。また、溝４１及び係合部４３の構成も適宜変更することができる。例えば、溝４１の第２部分４２ｂが、周方向ｃｄと平行に延びる例を示したが、これに限られず、第２部分４２ｂが軸線方向ａｄに湾曲し、溝４１が全体としてＪ字状となっていてもよい。
【００５６】
以上に説明した一実施の形態は以下の利点を有する。
【００５７】
上述した一実施の形態において、ベルトパーティションスタンド４０は、上方に開口した筒状の収容部５１を有するベース５０と、収容部５１に一方の端部が挿入された状態でベース５０に保持されるポール６０と、を備えている。ポール６０は、ベース５０から着脱可能となっている。このようなベルトパーティションスタンド４０は、不使用時に、ポール６０をベース５０から取り外すことにより、輸送時等の取り扱い性に優れ、また、収納時等における保管スペースの省スペース化を図ることができる。とりわけ、上述した一実施の形態において、ポール６０は、一方の端部を収容部５１に挿入し且つ当該ポール６０の軸線方向ａｄを中心としてベース５０に対して１８０°未満の角度だけ回動させることにより、ベース５０に対して軸線方向ａｄに離間する向きに相対移動することを規制されるようになる。すなわち、ポール６０の一方の端部をベース５０の収容部５１に挿入し且つ当該ポール６０の軸線方向ａｄを中心として１８０°未満の角度だけベース５０に対してポール６０を回動させるといった簡単な操作により、ポール６０がベース５０から意図せず抜けてしまうことを効果的に防止することができる。
【００５８】
また、上述した一実施の形態において、ベース５０は、収容部５１に収容されたポール６０を、当該ポール６０の軸線方向ａｄに沿ってベース５０から離間する向きに付勢する付勢部材５６を有している。付勢部材５６が、ポール６０を付勢することでポール６０をベース５０に対して所定の位置に維持することができる。これにより、ベルトパーティションスタンド４０の使用時に、ポール６０の姿勢を安定させることができる。とりわけ上述した一実施の形態では、付勢部材５６が、ベース５０から着脱不可能となる位置に向けてポール６０を付勢するため、ポール６０がベース５０から意図せず抜けてしまうことをより効果的に防止することができる。
【００５９】
さらに、上述した一実施の形態において、ベース５０は、収容部５１内に移動可能に配置された底板部材５７を、さらに有し、付勢部材５６は、底板部材５７を介してポール６０を付勢するようになっている。底板部材５７が、付勢部材５６を覆うことで、収容部４１内の清掃を容易に行うことができ、また、付勢部材５６の動作が安定する。
【００６０】
さらに、上述した一実施の形態において、ポール６０の一方の端部及びベース５０の収容部５１の一方に溝４１が形成され、ポール６０の一方の端部及びベース５０の収容部５１の他方に溝４１内を移動可能な係合部４３が形成されている。係合部４３が溝４１内に位置するため、付勢部材５６がポール６０を付勢することで、ポール６０をベース５０に対して所定の位置に維持することができる。これにより、ベルトパーティションスタンド４０の使用時に、ポール６０の姿勢を安定させることができる。とりわけ上述した一実施の形態では、付勢部材５６が、ベース５０から着脱不可能となる位置に向けてポール６０を付勢するため、ポール６０がベース５０から意図せず抜けてしまうことをより効果的に防止することができる。
【００６１】
さらに、上述した一実施の形態において、溝４１は、ポール６０の一方の端部をベース５０の収容部５１に挿入する際に係合部４３との係合を開始する開始端部４１ａと、ポール６０の一方の端部を収容部５１に挿入し且つ当該ポール６０の軸線方向ａｄを中心してベース５０に対して１８０°未満の角度だけポール６０を回動させた後に係合部４３と係合するようになる係止部４１ｃと、当該溝５１の長手方向に沿って開始端部４１ａと係止部４１ｃとの間に位置する中間部４１ｂと、を含んでいる。そして、係止部４１ｃは、ポール６０の軸線方向ａｄにおいて開始端部４１ａと中間部４１ｂとの間に位置している。係合部４３が溝４１の係止部４１ｃに位置している状態のポール６０をベース５０から引き抜く場合、軸線方向ａｄに沿ってポール６０をベース５０にいったん接近させた後、当該ポール６０をベース５０に対して回転させ、さらに当該ポール６０をベース５０から軸線方向ａｄに沿って離間させることになる。したがって、ポール６０がベース５０から意図せず抜けてしまうことをより効果的に防止することができる。とりわけ上述した一実施の形態では、付勢部材５６が設けられ、当該付勢部材５６が、ポール６０の軸線方向ａｄに沿ってポール６０をベース５０から離間する向きに付勢することにより、ポール６０がベース５０から意図せず抜けてしまうことをより効果的に防止することができる。
【００６２】
さらに、上述した一実施の形態において、溝４１は、ポール６０の軸線方向ａｄに延びる第１部分４２ａと、第１部分４２ａと接続し且つ軸線方向ａｄを中心とした周方向ｃｄに延びる第２部分４２ｂと、第２部分４２ｂと接続し且つ軸線方向ａｄに延びる第３部分４２ｃと、を有している。係合部４３が溝４１の第３部分４２ｃに位置する状態のポール６０をベース５０から引き抜く場合、軸線方向ａｄに沿ってポール６０をベース５０にいったん接近させた後、軸線方向ａｄを中心としてポール６０をベース５０に対して回動させ、その後、当該ポール６０をベース５０から軸線方向ａｄに沿って離間させることになる。したがって、ポール６０がベース５０から意図せず抜けてしまうことをより効果的に防止することができる。とりわけ上述した一実施の形態では、付勢部材５６が設けられ、当該付勢部材５６が、ポール６０の軸線方向ａｄに沿ってポール６０をベース５０から離間する向きに付勢することにより、ポール６０がベース５０から意図せず抜けてしまうことをより効果的に防止することができる。その一方で、ポール６０の操作は、単純であり、しかも、係合部４３と溝４１との係合によって案内される。したがって、意図する際には、ベース５０からポール６０を容易且つ安定して取り外すことができる。
【００６３】
さらに、上述した一実施の形態において、係合部４３は、収容部５１の対向する壁面５１ａ間を横断する係合軸部材５３によって形成され、ポール６０の一方の端部は下方筒状部６５となっており、溝４１は、下方筒状部６５の対向する壁部６６に形成された一対の切欠６７を含んでいる。収容部５１の対向する壁面５１ａ間を横断する係合軸部材５３が、ポール６０の下方筒状部６５に形成された一対の切欠６７と係合することにより、ポール６０が安定してベース５０に保持されるようになる。
【００６４】
上述した一実施の形態において、ベルトパーティションスタンド４０は、ベース５０と、ベース５０に保持されたポール６０と、を備え、ポール６０は、その内部に表示物ｄａを取り出し可能に収納することができる透明な筒状ポール本体部７０を有している。したがって、ベルトパーティション装置１０が使用される環境に適した外観を有する表示物ｄａを選択して使用することで、ベルトパーティション装置１０が使用される環境に適した雰囲気を創出することができる。例えば、ベルトパーティション装置１０が使用されるイベントに関連した表示が施された表示物ｄａを使用することで、イベントへの期待感を高め、イベントへの参加者を高揚させることができる。また、人の通行を誘導するために用いられるベルトパーティション装置１０においては、誘導経路を示す表示が施された表示物ｄａを使用することで、混雑のストレスを緩和させることができる。
【００６５】
また、上述した一実施の形態において、ベルトパーティションスタンド４０が、筒状ポール本体部７０に配置される発光部８１を有した発光ユニット８０を、さらに備えている。筒状ポール本体部７０内において、発光ユニット８０の発光部８１が表示物ｄａを照らすことにより、表示物ｄａを明瞭に表示することができる。これにより、ベルトパーティション装置１０が使用される環境に適した雰囲気をより効果的に創出することができる。
【００６６】
さらに、上述した一実施の形態において、発光ユニット８０は、発光部８１と接続し当該発光部８１の発光を制御する制御部８５を、さらに有している。ポール６０は、筒状ポール本体部７０に上方から接続した上方筒状部７５を、さらに有している。上方筒状部７５が、発光ユニット８０の制御部８５を支持し、発光部８１は、制御部８５から垂下して筒状ポール本体部７０内に位置している。上方筒状部７５を不透明とすることで、電源８６やスイッチ８７等を含む制御部８５の露出を防止することができる。これにより、ベルトパーティション装置１０が使用される環境に適した雰囲気をより効果的に創出することができる。また、発光ユニット８０の制御部８５がベルトパーティション装置１０の意匠性を害することを防止することができる。
【００６７】
さらに、上述した一実施の形態において、ポール６０の上端に、筒状ポール本体部７０の内部に通じる上方開口６１が形成されており、上方開口６１を介して、表示物ｄａ及び発光ユニット８０をポール６０内に配置可能、且つ、表示物ｄａ及び発光ユニット８０をポール６０内から取り出し可能となっている。表示物ｄａに加えて、発光ユニット８０もポール６０から取り出し可能となっているので、ポール６０内に配置される表示物ｄａを、その損傷を回避しながら、容易に取り替えることができる。また、表示物ｄａ及び発光ユニット８０の取り出しを行うため開口６１が、上方に開口していることから、表示物ｄａ及び発光ユニット８０の交換作業を容易に行うことができる。
【００６８】
さらに、上述した一実施の形態において、発光部８１は、ポール６０の中心軸線ｃａ上を延びている。発光部８１による照明は、周方向ｃｄに沿った明るさの分布を均一化することができる。これにより、ベルトパーティション装置１０が使用される環境に適した雰囲気をより効果的に創出することができる。
【００６９】
さらに、上述した一実施の形態において、仕切り用ベルト２１のケース２５内における巻取軸線ｒａは、ポール６０の中心軸線ｃａから、当該中心軸線ｃａに直交する方向にずれて位置している。したがって、表示物ｄａ及び発光ユニット８０をポール６０内へ出し入れする際に、表示物ｄａ及び発光ユニット８０がベルトパーティション本体２０と干渉することを効果的に抑制することができる。これにより、表示物ｄａ及び発光ユニット８０のポール６０内への出し入れを容易に行うことができる。
【００７０】
さらに、上述した一実施の形態において、ベルトパーティション本体２０は、ベルトパーティションスタンド４０に取り外し可能に支持される。したがって、ベルトパーティション装置１０が使用される環境に適した外観を有する仕切り用ベルト２１を有したベルトパーティション本体２０を選択して使用することができ、これにより、ベルトパーティション装置１０が使用される環境に適した雰囲気を創出することができる。
【００７１】
さらに、上述した一実施の形態において、ケース２５およびケース２５から繰り出し可能に当該ケース２５に収容された仕切り用ベルト２１を有するベルトパーティション本体２０と、ベルトパーティション本体２０を取り外し可能に支持するベルトパーティションスタンド４０と、を備える。したがって、ベルトパーティション装置１０が使用される環境に適した外観を有する仕切り用ベルト２１を有したベルトパーティション本体２０を選択して使用することで、ベルトパーティション装置１０が使用される環境に適した雰囲気を創出することができる。例えば、ベルトパーティション装置１０を使用するイベントに関連した表示が施された仕切り用ベルト２１を使用することで、イベントへの期待感を高め、イベントへの参加者を高揚させることができる。また、通行を誘導するために用いられるベルトパーティション装置１０においては、誘導経路を示す表示が施された仕切り用ベルト２１を使用することで、混雑のストレスを緩和させることができる。
【００７２】
さらに、上述した一実施の形態において、ベルトパーティション装置１０が、ケース２５およびケース２５から繰り出し可能に当該ケース２５に収容された第２仕切り用ベルトと、を有する第２ベルトパーティション本体をさらに、備え、第２ベルトパーティション本体の仕切り用ベルト２１は、ベルトパーティション本体２０の仕切り用ベルト２１とは異なる外観を有するようにしてもよい。すなわち、種々の表示が施された仕切り用ベルト２１を含むベルトパーティション本体２０を複数用意しておくことで、ベルトパーティション装置１０が使用される環境に適した雰囲気をより効果的に創出することができる。
【００７３】
さらに、上述した一実施の形態において、ベルトパーティションスタンド４０は、ベース５０及びベース５０に保持されたポール６０と、を有し、ポール６０は、その内部に表示物ｄａを取り出し可能に収納することができる透明な筒状ポール本体部７０を有している。ベルトパーティション装置１０が使用される環境に適した表示物ｄａをポール６０内に収容しておくことで、ベルトパーティション装置１０が使用される環境に適した雰囲気を創出することができる。とりわけ、ポール６０内の表示物ｄａによる表示と、仕切り用ベルト２１に施された表示ｄとの組み合わせにより、ベルトパーティション装置１０が使用される環境に適した雰囲気をさらに効果的に創出することができる。
【００７４】
さらに、上述した一実施の形態において、ベルトパーティション装置１０が、仕切り用ベルト２１に取り外し可能に取り付けられる表示パネル９５を、さらに備える。すなわち、パネル状の表示パネル９５によれば、より大きな面積で表示を行うことができる。優れた表示機能を有した表示パネル９５により、ベルトパーティション装置１０が使用される環境に適した雰囲気を効果的に創出することができる。また、パネル状の表示パネル９５での表示を、ポール６０内の表示物ｄａによる表示や、仕切り用ベルト２１に施された表示と組み合わせることで、ベルトパーティション装置１０が使用される環境に適した雰囲気をさらに効果的に創出することができる。
【００７５】
なお、上述した一実施の形態に対して様々な変更を加えることが可能である。例えば、ベルトパーティション本体２０は、ベルトパーティションスタンド４０と一体的に形成されていてもよい。具体的には、ベルトパーティション本体２０が、ポール６０の上方筒状部７５と一体的に形成され、ポール６０から取り外し不可能となっていてもよい。また、ベルトパーティション本体２０が、ポール６０の上方筒状部７５と一体的に形成され、上方筒状部７５及びベルトパーティション本体２０が、ポール６０の筒状ポール本体部７０から取り外し可能となっていてもよい。
【符号の説明】
【００７６】
ｃａ    中心軸線
ａｄ    軸線方向
ｒａ    巻取軸線
ｃｄ    周方向
ｄａ    表示物
ｄ      表示
１０    ベルトパーティション装置
２０    ベルトパーティション本体
２１    仕切り用ベルト
２２    端部ピン部材
２２ａ  ピン本体部
２２ｂ  ピン頭部
２３    取付ピン部材
２３ａ  ピン本体部
２３ｂ  ピン頭部
２４    接続板部
２５    ケース
２５ａ  開口
２６    巻取軸部材
２７    巻取付勢部材
４０    ベルトパーティションスタンド
４１    溝
４１ａ  開始端部
４１ｂ  中間部
４１ｃ  係止部
４２ａ  第１部分
４２ｂ  第２部分
４２ｃ  第３部分
４３    係合部
５０    ベース
５１    収容部
５１ａ  壁面
５１ｂ  底面
５２    壁部
５３    係合軸部材
５６    付勢部材
５７    底板部材
６０    ポール
６１    上方開口
６５    下方筒状部
６６    壁部
６７    切欠
７０    筒状ポール本体部
７５    上方筒状部
７６    保持板部
７７    支持溝
８０    発光ユニット
８１    発光部
８２    支持材
８３    発光体
８４    配線
８５    制御部
８６    電源
８７    スイッチ
９０    蓋部材
９５    表示パネル
９６    フック
【要約】
【課題】使用される環境に適した表示を行って、当該環境に適した雰囲気を創出することができるベルトパーティションスタンドを提供する。
【解決手段】ベルトパーティションスタンド４０は、ベース５０と、ベースに保持されたポール６０と、を備える。ポールは、その内部に表示物ｄａを取り出し可能に収納することができる透明な筒状ポール本体部７０を有している。
【選択図】図１【図１】
0005923651.tif 000002
【図２】
0005923651.tif 000003
【図３】
0005923651.tif 000004
【図４】
0005923651.tif 000005
【図５】
0005923651.tif 000006
【図６】
0005923651.tif 000007
【図７】
0005923651.tif 000008
【図８】
0005923651.tif 000009
【図９】
0005923651.tif 000010